【手続補正書】
【提出日】平成24年2月14日(2012.2.14)
【手続補正１】
【補正対象書類名】特許請求の範囲
【補正対象項目名】全文
【補正方法】変更
【補正の内容】
【特許請求の範囲】
【請求項１】
鋼板、非鉄金属板、樹脂板、あるいはフィルム状の被洗浄面に付着した水分、油分、あるいは薬品成分等の液体を除去、搾取、洗浄する為のロールにおいて、前記ロールはロール部及び台座を有し、前記台座は前記ロール部が外周に形成される本体部、及び前記本体部の両端に連接される継ぎ手部Ａ及び継ぎ手部Ｂを有し、前記ロール部は不織布からなる複数の概円環状のロール片が積層されてあると共に、長手方向における両方の端部の近傍のみに溝部が形成されてあり、前記端部の近傍は略中央部の近傍より表面の硬度が大であることを特徴とするロール。
【請求項２】
請求項１記載の構成よりなるロールにおいて、台座は本体部の長手方向における両方の端部の近傍の外径を略中央部の近傍の外径よりも小さくして当たり部が形成されてあることを特徴とするロール。
【請求項３】
請求項１又は２記載の構成よりなるロールにおいて、ロール部は長手方向における略中央部の近傍においてロール片よりも回転外径が小である補強部材を有することを特徴とするロール。
【請求項４】
請求項１〜３のいずれか１項に記載の構成よりなるロールにおいて、ロール部は長手方向における両方の端部の近傍と、略中央部の近傍においてロール片の材質が異なることを特徴とするロール。
【請求項５】
請求項１〜４のいずれか１項に記載の構成よりなるロールにおいて、台座は本体部に開口部が形成されてあると共に、前記本体部の両端に連接される継ぎ手部Ａ及び／又は継ぎ手部Ｂに中空部が形成されてあり、本体部の外周には前記開口部に連通する孔部が開設されてあることを特徴とするロール。
【請求項６】
請求項１〜５のいずれか１項に記載されたロールと、前記ロールを回転駆動する駆動手段を少なくとも有する洗浄装置。
【手続補正２】
【補正対象書類名】明細書
【補正対象項目名】０００８
【補正方法】変更
【補正の内容】
【０００８】
前記従来の課題を解決する為に、請求項１の発明のロールは、鋼板、非鉄金属板、樹脂板、あるいはフィルム状の被洗浄面に付着した水分、油分、あるいは薬品成分等の液体を除去、搾取、洗浄する為のロールにおいて、前記ロールはロール部及び台座を有し、前記台座は前記ロール部が外周に形成される本体部、及び前記本体部の両端に連接される継ぎ手部Ａ及び継ぎ手部Ｂを有し、前記ロール部は不織布からなる複数の概円環状のロール片が積層されてあると共に、長手方向における両方の端部の近傍のみに溝部が形成されてあり、前記端部の近傍は略中央部の近傍より表面の硬度が大であるもので、ロール部の両方の端部の近傍に溝部が形成されていることから、ロール部の表面が平滑なロールに比べて、被洗浄面にたいするグリップ力を高く設定することができる。すなわち、洗浄装置に上下一対で設置されたロールは、ロールに圧力が加わり、上下のロール部が圧接されると、ロール部の外周と略直角をなす溝部が、溝部の淵から内側に曲り、上下のロール部において接触面積が広くなり、上下のロール部における摩擦抵抗が大きくなる。その為、洗浄ライン内にて、特に、被洗浄面に高粘度の液体が付着している場合においても、被洗浄面が蛇行することが抑えられ、鋼板、非鉄金属板、樹脂板、フィルム状樹脂組成物等の生産性の向上につながる。
【手続補正３】
【補正対象書類名】明細書
【補正対象項目名】００１４
【補正方法】変更
【補正の内容】
【００１４】
請求項２の発明のロールは、特に、請求項１のロールにおいて、台座は本体部の長手方向における両方の端部の近傍の外径を略中央部の近傍の外径よりも小さくして当たり部が形成されてあるもので、本体部の端部の近傍の外径を、略中央部の外径より小さくしたり、端部の近傍にリングを嵌めて、本体部に固定する等により当たり部を設けることで、本体部の端部の近傍に積層されるロール片は、当たり部より本体部の略中央部側にずれることがない。従って、本体部の端部の近傍と、略中央部の近傍において、軸心方向の単位長さあたりにおけるロール片の積層枚数を任意に変えることができる。その為、ロール部の両方の端部の近傍と、略中央部の近傍において、表面の硬度を任意に設定することができる。
【手続補正４】
【補正対象書類名】明細書
【補正対象項目名】００１５
【補正方法】変更
【補正の内容】
【００１５】
請求項３の発明のロールは、特に、請求項１又は２のロールにおいて、ロール部は長手方向における略中央部の近傍においてロール片よりも回転外径が小である補強部材を有するもので、ロール部の略中央部は、ロール片よりも回転外径が小さい補強部材が積層されていることから、ロール部の表面部は、芯部に比べて硬度が低く、柔らかい為、ロールの弾力性が向上し、ロール部と被洗浄面との接触面積が広がり、被洗浄面からの液体の除去性能が向上する。また、ロール部の芯部は、表面部に比べて硬度が高く、硬い為、ロールの回転中にロール片が本体部から位置ずれすることがなく、ロール部の表面部が凹凸になることが抑制されるので、ロール部は均一に被洗浄面に摺接し、ロールは高い耐久性を維持することができる。
【手続補正５】
【補正対象書類名】明細書
【補正対象項目名】００１６
【補正方法】変更
【補正の内容】
【００１６】
請求項４の発明のロールは、特に、請求項１から３のいずれかのロールにおいて、ロール部は長手方向における両方の端部の近傍と、略中央部の近傍においてロール片の材質が異なるもので、例えば、ロール部の略中央部の近傍は、被洗浄面が通過することから、液体の除去性能に優れた材質をロール片に採用し、端部の近傍は、エアー圧や油圧等の圧力が加わり、ロール部が押え付けられることから、摩耗に強い材質や、被洗浄面が通過しないことから、コストが安価な材質等をロール片に採用することにより、使用目的や使用環境に応じて、任意にロール片の材質を選択し、ロール部を形成することができる。
【手続補正６】
【補正対象書類名】明細書
【補正対象項目名】００１７
【補正方法】変更
【補正の内容】
【００１７】
請求項５の発明のロールは、特に、請求項１から４のいずれかのロールにおいて、台座は本体部に開口部が形成されてあると共に、前記本体部の両端に連接される継ぎ手部Ａ及び／又は継ぎ手部Ｂに中空部が形成されてあり、本体部の外周には前記開口部に連通する孔部が開設されてあるもので、継ぎ手部Ａ及び／又は継ぎ手部Ｂの端部に、配管等を介してコンプレッサーや真空ポンプ等の外部装置を接続し、コンプレッサーから圧縮流体をロール部に送出したり、あるいは真空ポンプを用いてロール部に真空圧を加えることにより、ロール部に吸収された液体を、ロールの外部に排出することができる。その為、ロール部の吸液飽和状態が解消され、ロールの耐用期間の大幅な長期化につながる。
【手続補正７】
【補正対象書類名】明細書
【補正対象項目名】００２１
【補正方法】変更
【補正の内容】
【００２１】
請求項１の発明のロールは、ロール部の両方の端部の近傍のみに溝部が形成されているので、グリップ力を高く設定することができると共に、ロール部は不織布からなり、液体を吸い上げる繊維を有する為、優れた液体の除去性能を発揮することができる。また、ロール部の略中央部の近傍は、端部の近傍に比べて、表面の硬度が低いので、被洗浄面にたいする追従性に優れ、被洗浄面から液体を、均一に除去、搾取、洗浄することができる。一方、ロール部の両方の端部の近傍は、略中央部の端部の近傍に比べて、表面の硬度が高いので、バイト等を用いてロール部の表面に溝部を形成する際、バイトの刃先が逃げることがなく、溝部を形成しやすくなる。
【手続補正８】
【補正対象書類名】明細書
【補正対象項目名】００２２
【補正方法】変更
【補正の内容】
【００２２】
請求項２の発明のロールは、台座は本体部の長手方向における両方の端部の近傍の外径を略中央部の近傍の外径よりも小さくして当たり部が形成されてあるので、ロール片の積層枚数を調整することにより、ロール部の両方の端部の近傍と、略中央部の近傍において、表面の硬度を任意に設定することができる。